(57)【要約】【課題】  通信媒体と通信機器の間の通信を阻害することなく、ハンドルに十分な強度を持たせる。【解決手段】  本発明のハンドル装置１は、扉２の壁面３に固定されるハンドル５と、ハンドル５に内装され、ハンドル５の外部の通信媒体７７との間で通信を行う通信機器７１と、を備えたハンドル装置１であって、ハンドル５は、通信機器７１の裏面を覆う金属製の裏カバー４０と、通信機器７１の表面を覆う樹脂製の表カバー４１と、通信機器７１の両側面の少なくとも一部を覆う樹脂製のサイドウォール４２と、を備えていることを特徴とする。【選択図】図２
2015055068.tif 000002
【特許請求の範囲】
【請求項１】
扉の壁面に固定されるハンドルと、前記ハンドルに内装され、前記ハンドルの外部の通信媒体との間で通信を行う通信機器と、を備えたハンドル装置であって、
前記ハンドルは、
前記通信機器の裏面を覆う金属製の裏カバーと、
前記通信機器の表面を覆う樹脂製の表カバーと、
前記通信機器の両側面の少なくとも一部を覆う樹脂製のサイドウォールと、を備えていることを特徴とするハンドル装置。
【請求項２】
前記裏カバーは、
前記通信機器の裏面を覆う裏板部と、
前記裏板部の両側から前方に向かって延びる側板部と、を備え、
前記側板部には、前記通信機器の両側面を覆う部分に切り欠き部が設けられ、
前記表カバーは、
前記通信機器の表面を覆う本体部と、
前記本体部の両側から後方に向かって延びる固定部と、を備え、
前記サイドウォールは、前記切り欠き部を塞ぐようにして前記固定部に固定されていることを特徴とする請求項１に記載のハンドル装置。
【請求項３】
前記ハンドルは、細長い形状を成し、
前記固定部には、複数の嵌合突起が前記ハンドルの長手方向に列設され、
前記サイドウォールには、前記複数の嵌合突起と嵌合可能な複数の嵌合穴が前記ハンドルの長手方向に列設されていることを特徴とする請求項２に記載のハンドル装置。
【発明の詳細な説明】
【技術分野】
【０００１】
本発明は、扉の壁面に設けられるハンドル装置に関し、特に、通信媒体との間で通信を行う通信機器を備えたハンドル装置に関する。
【背景技術】
【０００２】
従来、扉の室内外の壁面にはハンドル装置が設けられている。このハンドル装置にはハンドルが設けられており、このハンドルを押したり引いたりすることで、扉を開閉できるようになっている。
【０００３】
例えば、特許文献１には、ハンドル（特許文献１の「アウトサイドハンドルＨ」参照）と、このハンドルに内装される通信機器（特許文献１の「アンテナ９」参照）と、を備えたハンドル装置が開示されている。この従来技術では、上記の通信機器に通信媒体（特許文献１では、「ＲＦＩＤタグ」）を翳すと、通信媒体と通信機器の間で通信が行われるようになっている。
【０００４】
上記のようにハンドルに通信機器を内装する場合、アルミニウムなどの金属によってハンドル全体を形成すると、ハンドルによって通信媒体と通信機器の間の通信が阻害され、例えば、通信媒体からの電波を通信機器が受信できなくなるといった不具合が発生する恐れがある。そこで、特許文献１では、ハンドルを構成する裏カバー及び表カバー（即ち、ハンドル全体）を、合成樹脂によって形成している。
【先行技術文献】
【特許文献】
【０００５】
【特許文献１】特開２０１３−０３６２３２号公報
【発明の概要】
【発明が解決しようとする課題】
【０００６】
しかしながら、上記のようにハンドル全体を合成樹脂によって形成すると、ハンドル全体を金属によって形成する場合と比較して、ハンドルの強度が大きく低下してしまう。
【０００７】
本発明は、上記の事情を考慮し、通信媒体と通信機器の間の通信を阻害することなく、ハンドルに十分な強度を持たせることを目的とする。
【課題を解決するための手段】
【０００８】
本発明のハンドル装置は、扉の壁面に固定されるハンドルと、前記ハンドルに内装され、前記ハンドルの外部の通信媒体との間で通信を行う通信機器と、を備えたハンドル装置であって、前記ハンドルは、前記通信機器の裏面を覆う金属製の裏カバーと、前記通信機器の表面を覆う樹脂製の表カバーと、前記通信機器の両側面の少なくとも一部を覆う樹脂製のサイドウォールと、を備えていることを特徴とする。
【０００９】
上記のように金属製の裏カバーをハンドルに設けることで、ハンドル全体を樹脂によって形成する場合と比較してハンドルの強度を高めることが可能となる。
【００１０】
また、上記のように樹脂製の表カバーによって通信機器の表面を覆い、且つ、樹脂製のサイドウォールによって通信機器の両側面の少なくとも一部を覆うことで、通信媒体と通信機器の間の通信がハンドルの金属部分によって阻害されるのを防止することができる。
【００１１】
前記裏カバーは、前記通信機器の裏面を覆う裏板部と、前記裏板部の両側から表側に向かって延出する側板部と、を備え、前記側板部には、前記通信機器の両側面を覆う部分に切り欠き部が設けられ、前記表カバーは、前記通信機器の表面を覆う本体部と、前記本体部の両側から裏側に向かって延出する固定部と、を備え、前記サイドウォールは、前記切り欠き部を塞ぐようにして前記固定部に固定されていても良い。
【００１２】
上記のように金属製の裏カバーが裏板部及び側板部を備えることで、裏カバーが裏板部のみを備える場合と比較して、ハンドルにおける金属部分の割合を高めることが可能となる。これに伴って、ハンドルの強度を一層高めることができる。
【００１３】
一方で、裏カバーの側板部における通信機器の両側面を覆う部分に切り欠き部を設け、この切り欠き部を樹脂製のサイドウォールによって塞ぐことで、通信媒体と通信機器の間の通信がハンドルの金属部分によって阻害されるのを効果的に防止することができる。
【００１４】
更に、表カバーの固定部にサイドウォールを固定する構成を採用することで、表カバーとサイドウォールが別体に形成されることになり、表カバーとサイドウォールをそれぞれ異なる樹脂材料によって形成することが可能となる。
【００１５】
前記ハンドルは、細長い形状を成し、前記固定部には、複数の嵌合突起が前記ハンドルの長手方向に列設され、前記サイドウォールには、前記複数の嵌合突起と嵌合可能な複数の嵌合穴が前記ハンドルの長手方向に列設されていても良い。
【００１６】
このような構成を採用することで、ハンドルの長手方向に沿ってサイドウォールを表カバーの固定部に確実に固定することが可能となる。
【発明の効果】
【００１７】
本発明によれば、通信媒体と通信機器の間の通信を阻害することなく、ハンドルに十分な強度を持たせることができる。
【図面の簡単な説明】
【００１８】
【図１】本発明の一実施形態に係るハンドル装置を示す側断面図である。
【図２】本発明の一実施形態に係るハンドル装置の上側部分を示す側断面図である。
【図３】（ａ）は、本発明の一実施形態に係るハンドル装置において、ハンドルのグリップの裏カバーを示す側面図である。（ｂ）は、同正面図である。
【図４】図２のＡ−Ａ断面図である。
【図５】本発明の一実施形態に係るハンドル装置の上部を示す側面図である。
【図６】（ａ）は、本発明の一実施形態に係るハンドル装置において、ハンドルのグリップの表カバーを示す側断面図である。（ｂ）は、同背面図である。
【図７】（ａ）は、本発明の一実施形態に係るハンドル装置において、ハンドルのグリップのサイドウォールを示す側断面図である。（ｂ）は、同正面図である。
【発明を実施するための形態】
【００１９】
以下、図１〜図７に基づいて、本発明の一実施形態に係るハンドル装置１について説明する。以下、説明の便のため、図１における左側をハンドル装置１の前側とし、図１における右側をハンドル装置１の後側とする。各図に適宜付される矢印Ｆｒは、ハンドル装置１の前側を示している。
【００２０】
図１に示されるように、ハンドル装置１は、扉２の外壁面３（室外側の壁面）に設けられている。ハンドル装置１は、扉２の外壁面３に埋設される上下一対のシリンダー錠４と、扉２の外壁面３に固定され、上側のシリンダー錠４の上方から下側のシリンダー錠４の下方に亘って配置されるハンドル５と、ハンドル５の上部に保持される作動機構６と、ハンドル５の上部に内装されるカードリーダー７（通信機器）を有する通信ユニット８と、を主体として構成されている。
【００２１】
まず、各シリンダー錠４について説明する。各シリンダー錠４は、前後方向に延びる鍵穴９を備えている。各シリンダー錠４の表面には、鍵穴９の前端部が露出している。各シリンダー錠４は、施解錠機構（図示せず）に接続されており、鍵穴９に挿入された合鍵（図示せず）が回転操作されると、施解錠機構が作動して、扉２の施錠と解錠が切り替わるようになっている。
【００２２】
次に、ハンドル５について説明する。ハンドル５は、上下方向に細長い形状を成している。つまり、本実施形態では、上下方向がハンドル５の長手方向である。ハンドル５は、扉２の外壁面３に固定される上下一対の台座１０と、上下一対の台座１０を連結するグリップ１１と、を備えている。
【００２３】
図２に示されるように、ハンドル５の上側の台座１０は、扉２の外壁面３に沿って上下方向に延びる第１カバー１２と、第１カバー１２の上部の前方に配置される第２カバー１３と、第１カバー１２と第２カバー１３を連結するストラップ１４と、を主体として構成されている。
【００２４】
第１カバー１２の上端部には上方係合部１５が設けられ、第１カバー１２の上下方向略中央部には左右一対の下方係合部１６（図２では、左側の下方係合部１６のみを表示）が設けられている。第１カバー１２には、上方係合部１５の下方に円筒状の錠前保持部１７が設けられている。錠前保持部１７は、上側のシリンダー錠４の外周の前後方向中央部を覆っている。第１カバー１２には、錠前保持部１７の下方に四角筒状のストラップ保持部１８が設けられている。ストラップ保持部１８の後上隅部には、係合部２０が設けられている。ストラップ保持部１８の表面側には、挿入開口部２１が形成されている。
【００２５】
第１カバー１２の下部には、ラッチバー保持部２２が設けられている。ラッチバー保持部２２の後端部は、扉２を貫通する上下一対の取付柱２３を介して、扉２の内壁面２４（室内側の壁面）に設けられた室内側ハンドル２５（図２において一部のみを表示）に連結されている。第１カバー１２の後端面と扉２の外壁面３の間には、ゴム製のシート２６が介装されている。
【００２６】
第２カバー１３の上端部には上方フック２７が設けられ、第２カバー１３の下端部には左右一対の下方フック２８（図２では、左側の下方フック２８のみを表示）が設けられている。そして、上方フック２７を第１カバー１２の上方係合部１５に係合させると共に各下方フック２８を第１カバー１２の各下方係合部１６に係合させることで、第２カバー１３が第１カバー１２に着脱可能に取り付けられている。
【００２７】
第２カバー１３の上部は、上側のシリンダー錠４の表面を覆っている。第２カバー１３の下部には、後方に向かって突出する保持突部３０が設けられている。保持突部３０には、挿通穴３２が上下方向に設けられている。保持突部３０の後部は、第２カバー１３を第１カバー１２に取り付けた状態で、第１カバー１２のストラップ保持部１８に設けられた挿入開口部２１に挿入されている。
【００２８】
ストラップ１４は、ゴムなどの弾性材料によって形成されている。ストラップ１４は、第１カバー１２のストラップ保持部１８に保持されている。ストラップ１４の長手方向一端部には係合穴３３が設けられており、この係合穴３３に第１カバー１２の係合部２０を係合させることで、ストラップ１４の長手方向一端部が第１カバー１２に取り付けられている。ストラップ１４の長手方向他側部は、第２カバー１３の保持突部３０に設けられた挿通穴３２に挿通されている。これにより、ストラップ１４の長手方向他側部が第２カバー１３に取り付けられている。
【００２９】
図１に示されるように、ハンドル５の下側の台座１０は、ハンドル５の上側の台座１０と略上下対称形状を成している。ハンドル５の下側の台座１０については説明を省略する。
【００３０】
図１に示されるように、ハンドル５のグリップ１１は、僅かに前方に湾曲しながら上下方向に延びている。ハンドル５のグリップ１１は、裏カバー４０と、裏カバー４０の前方に配置される表カバー４１と、裏カバー４０及び表カバー４１の上部の左右両側に配置される一対のサイドウォール４２（図１では、左側のサイドウォール４２のみ表示）と、を備えている。裏カバー４０と表カバー４１の間には、収容空間４３が形成されている。
【００３１】
裏カバー４０は、アルミニウム等の金属によって形成されている。図３（ａ）及び図３（ｂ）に示されるように、裏カバー４０は、裏板部４４と、裏板部４４の左右両側から前方に向かって延びる側板部４５と、を備えている。
【００３２】
図４に示されるように、裏板部４４は、カードリーダー７の裏面を覆っている。図３（ａ）に示されるように、裏板部４４の上部には後方に向かって突出する上側突片４６が設けられ、裏板部４４の下部には後方に向かって突出する下側突片４７が設けられている。図１に示されるように、下側突片４７は、揺動軸部４８を介して下側の台座１０に取り付けられている。これにより、グリップ１１が揺動軸部４８を支点に揺動可能となっている。
【００３３】
図３（ｂ）に示されるように、裏板部４４の上下方向中央部には、４個の当接突部４９が前方に向かって突出している。裏板部４４の下部には、ハーネス挿通穴５０が設けられている。
【００３４】
図３（ａ）及び図３（ｂ）に示されるように、各側板部４５の上部には、切り欠き部５１が設けられている。図５に示されるように、切り欠き部５１は、各側板部４５のうちのカードリーダー７の左右両側面の後部を覆う部分に設けられている。
【００３５】
表カバー４１は、ポリカーボネート等の樹脂によって形成されている。図６（ａ）及び図６（ｂ）に示されるように、表カバー４１は、本体部５２と、本体部５２の左右両側から後方に向かって延びる固定部５３と、を備えている。
【００３６】
図１に示されるように、本体部５２の上端部と下端部は、それぞれ取付ネジ５４によって裏カバー４０の裏板部４４の上端部と下端部に取り付けられている。これにより、裏カバー４０に表カバー４１が固定されている。図４に示されるように、本体部５２は、カードリーダー７の表面を覆っている。
【００３７】
図６（ａ）及び図６（ｂ）に示されるように、本体部５２の裏面には、上下方向中央部よりも上方の部分に、支持フック５５が突設されている。本体部５２の裏面の上下方向中央部には、四角筒状のガイド固定部５６が突設されている。ガイド固定部５６の上端部と下端部には、開口部５６ａがそれぞれ設けられている。ガイド固定部５６は、第１嵌合部５７と、本体部５２の裏面と第１嵌合部５７の間に形成される第２嵌合部５８と、を備えている。第２嵌合部５８は第１嵌合部５７よりも上下幅及び左右幅が小さい。第１嵌合部５７の左右両側部には、上下一対の固定穴５９が設けられている。
【００３８】
各固定部５３の上部には、後方に向かって突出する複数（例えば４個）の嵌合突起６０が設けられている。複数の嵌合突起６０は、上下方向（ハンドル５の長手方向）に列設されている。各嵌合突起６０は、上下方向に長い形状を成している。
【００３９】
各サイドウォール４２は、ＡＳＡ等の樹脂によって形成されている。各サイドウォール４２は、表カバー４１とは異なる種類の樹脂によって形成されている。各サイドウォール４２は、カードリーダー７の左右両側面の後部を覆っている（図４及び図５参照）。
【００４０】
図７（ａ）及び図７（ｂ）に示されるように、各サイドウォール４２は、上下方向に長い形状を成している。各サイドウォール４２には、表面から裏面まで貫通する複数（例えば４個）の嵌合穴６１が設けられている。複数の嵌合穴６１は、上下方向（ハンドル５の長手方向）に列設されている。各嵌合穴６１は、上下方向に長い形状を成している。図４及び図５に示されるように、各嵌合穴６１は、表カバー４１の各固定部５３の各嵌合突起６０と嵌合している。これにより、裏カバー４０の側板部４５の切り欠き部５１を塞ぐようにして各サイドウォール４２が表カバー４１の各固定部５３に固定されている。
【００４１】
図７（ａ）及び図７（ｂ）に示されるように、各サイドウォール４２の上部（上端の嵌合穴６１と上から２番目の嵌合穴６１の間）と下部（下端の嵌合穴６１と下から２番目の嵌合穴６１の間）には、各サイドウォール４２の表面から裏面まで貫通する貫通穴６２がそれぞれ設けられている。各サイドウォール４２の表面と裏面の上下方向中央部（上から２番目の嵌合穴６１と下から２番目の嵌合穴６１の間）には、溝部６３がそれぞれ設けられている。
【００４２】
次に、作動機構６について説明する。図２に示されるように、作動機構６は、ラッチバー６４と、ラッチバー６４の片側に設けられるねじりコイルバネ６５と、を備えている。
【００４３】
ラッチバー６４は、上側の台座１０の第１カバー１２に設けられたラッチバー保持部２２に保持されている。ラッチバー６４は、略上下方向（正確には、下方に向かって僅かに前方に傾斜する方向）に延びる第１腕部６６と、第１腕部６６の上部から後方に向かって延びる第２腕部６７と、を備えている。
【００４４】
第１腕部６６の上端部は、回動軸部６８を介して上側の台座１０に取り付けられている。これにより、ラッチバー６４は、第１の姿勢（図２の実線参照）と第２の姿勢（図２の二点鎖線参照）の間で回動軸部６８を支点に回動可能となっている。第１腕部６６の下端部は、グリップ１１の裏カバー４０の裏板部４４に設けられた上側突片４６に接続軸部７０を介して接続されている。
【００４５】
ねじりコイルバネ６５の一部は、回動軸部６８の外周に巻回されている。ねじりコイルバネ６５は、ラッチバー６４を第１の姿勢（図２の実線参照）に付勢している。
【００４６】
次に、通信ユニット８について説明する。通信ユニット８は、上記のカードリーダー７と、カードリーダー７に上端部が接続されるハーネス７２と、ハンドル５のグリップ１１の上下方向中央部に内装されるハーネスガイド７３と、ハンドル５のグリップ１１の上下方向中央部に内装され、ハーネスガイド７３の前方に配置されるアンテナ７４（他の通信機器）と、を備えている。
【００４７】
カードリーダー７は、上下方向に長い形状を成している。カードリーダー７は、ハンドル５のグリップ１１の収容空間４３の上端部に収容されている。カードリーダー７の下端部には、下端突部７５が設けられている。そして、この下端突部７５を表カバー４１の本体部５２に設けられた支持フック５５に係合させた状態で、カードリーダー７の上端部を表カバー４１の本体部５２の上端部に締結ネジ７６によって締結することで、カードリーダー７が表カバー４１に固定されている。カードリーダー７は、ハンドル５の外部のＩＣカード７７（通信媒体）との間で無線通信を行う機能を有している。
【００４８】
図１に示されるように、ハーネス７２は、ハンドル５のグリップ１１の収容空間４３内に上下方向に配索されている。ハーネス７２の裏側は裏カバー４０の裏板部４４によって覆われ、ハーネス７２の表側は表カバー４１の本体部５２によって覆われている。ハーネス７２の下端部は、裏カバー４０の裏板部４４のハーネス挿通穴５０に挿通され、扉２の内部（ハンドル５の外部）に引き回されている。ハーネス７２の下端部には、コネクター７８が固定されている。
【００４９】
図２に示されるように、ハーネスガイド７３は、表カバー４１のガイド固定部５６の第１嵌合部５７に嵌合している。ハーネスガイド７３は、ハーネス７２を支持している。
【００５０】
ハーネスガイド７３は、上下方向に間隔をおいて配置される複数のガイドリブ８０と、各ガイドリブ８０の前端部を連結し、上下方向に延びる前端壁８１と、各ガイドリブ８０の左右両側部を連結し、上下方向に延びる左右両側壁８２（図２では左側壁８２のみを表示）と、を備えている。各ガイドリブ８０の後縁部には、溝状のハーネス挿通部８３が設けられており、ハーネス挿通部８３にはハーネス７２が挿通されている。左右両壁部８２には、上下一対の固定突起８４が突設されている。各固定突起８４は、表カバー４１のガイド固定部５６の第１嵌合部５７に設けられた各固定穴５９（図６（ａ）参照）に嵌合している。これにより、ハーネスガイド７３がガイド固定部５６に固定されている。
【００５１】
図２に示されるように、アンテナ７４は、ケーブル８５を介してカードリーダー７に接続されている。アンテナ７４は、表カバー４１のガイド固定部５６の第２嵌合部５８に嵌合している。アンテナ７４は、表カバー４１の本体部５２とハーネスガイド７３に挟まれるように配置されている。アンテナ７４は、ハンドル５の外部の携帯型キー（図示せず）との間で無線通信を行う機能を有している。
【００５２】
上記のように構成されたものにおいて、室外から扉２を開放するには、図１に矢印Ｘで示されるように、ハンドル５のグリップ１１を前側に牽引する。これに伴って、グリップ１１が揺動軸部４８を支点に前方に揺動し、グリップ１１に接続軸部７０を介して接続されたラッチバー６４が第１の姿勢（図２の実線参照）から第２の姿勢（図２の二点鎖線参照）に切り替わる。これに伴って、ラッチバー６４の第２腕部６７に接続されたラッチ機構（図示せず）が作動し、扉２を開放可能となる。
【００５３】
また、上記のように構成されたものにおいて、図２に示されるように、ＩＣカード７７が表カバー４１の前方に翳されると、ＩＣカード７７内に格納された識別情報をカードリーダー７が読み取り、この読み取られた識別情報がカードリーダー７から制御装置（図示せず）に送信される。制御装置は、カードリーダー７がＩＣカード７７から読み取った識別情報が正しいか否かを判断する。上記の識別情報が正しいと制御装置が判断した場合には、制御装置から施解錠機構（図示せず）に解錠信号が送信され、扉２が解錠される。一方で、上記の識別情報が正しくないと制御装置が判断した場合には、制御装置から施解錠機構に解錠信号が送信されず、扉２が施錠された状態が保持される。
【００５４】
本実施形態では、金属製の裏カバー４０をハンドル５のグリップ１１に設けている。そのため、ハンドル５のグリップ１１の全体を樹脂によって形成する場合と比較してハンドル５のグリップ１１の強度を高めることが可能となる。
【００５５】
また、樹脂製の表カバー４１によってカードリーダー７の表面を覆い、且つ、樹脂製のサイドウォール４２によってカードリーダー７の左右両側面の後部を覆っている。そのため、ＩＣカード７７とカードリーダー７の間の通信がハンドル５のグリップ１１の金属部分によって阻害されるのを防止することができ、ＩＣカード７７からの電波をカードリーダー７が確実に受信可能となる。
【００５６】
また、金属製の裏カバー４０が裏板部４４及び側板部４５を備えることで、裏カバー４０が裏板部４４のみを備える場合と比較して、ハンドル５のグリップ１１における金属部分の割合を高めることが可能となる。これに伴って、ハンドル５のグリップ１１の強度を一層高めることができる。
【００５７】
一方で、裏カバー４０の側板部４５におけるカードリーダー７の左右両側面を覆う部分の後部に切り欠き部５１を設け、この切り欠き部５１を樹脂製のサイドウォール４２によって塞ぐ構成を採用している。そのため、ＩＣカード７７とカードリーダー７の間の通信がハンドル５のグリップ１１の金属部分によって阻害されるのを効果的に防止することができる。
【００５８】
更に、表カバー４１の各固定部５３に各サイドウォール４２を固定する構成を採用することで、表カバー４１と各サイドウォール４２が別体に形成されることになる。そのため、表カバー４１と各サイドウォール４２をそれぞれ異なる樹脂材料によって形成することが可能となる。
【００５９】
また、表カバー４１の各固定部５３には、複数の嵌合突起６０が上下方向（ハンドル５の長手方向）に列設され、各サイドウォール４２には、複数の嵌合突起６０と嵌合可能な複数の嵌合穴６１が上下方向（ハンドル５の長手方向）に列設されている。このような構成を採用することで、ハンドル５の長手方向に沿って各サイドウォール４２を表カバー４１の各固定部５３に確実に固定することが可能となる。
【００６０】
本実施形態では、各サイドウォール４２がカードリーダー７の左右両側面の一部を覆う場合について説明したが、他の異なる実施形態では、各サイドウォール４２がカードリーダー７等の通信機器の両側面の全部を覆っていても良い。
【００６１】
本実施形態では、異なる種類の樹脂材料を用いて表カバー４１と各サイドウォール４２を別体に形成する場合について説明したが、他の異なる実施形態では、同一の種類の樹脂材料を用いて表カバー４１と各サイドウォール４２を一体に形成しても良い。
【００６２】
本実施形態では、カードリーダー７に本発明の構成を適用する場合について説明したが、他の異なる実施形態では、アンテナ７６等の他の通信機器に本発明の構成を適用しても良い。
【００６３】
本実施形態では、ＩＣカード７７を通信媒体として用いる場合について説明したが、他の異なる実施形態では、携帯型キー等の他の通信媒体を用いても良い。
【符号の説明】
【００６４】
１  ハンドル装置
２  扉
３  外壁面（壁面）
５  ハンドル
７  カードリーダー（通信機器）
４０  裏カバー
４１  表カバー
４２  サイドウォール
４４  裏板部
４５  側板部
５１  切り欠き部
５２  本体部
５３  固定部
６０  嵌合突起
６１  嵌合穴
７７  ＩＣカード（通信媒体）
【図１】
2015055068.tif 000003
【図２】
2015055068.tif 000004
【図３】
2015055068.tif 000005
【図４】
2015055068.tif 000006
【図５】
2015055068.tif 000007
【図６】
2015055068.tif 000008
【図７】
2015055068.tif 000009